(57)【要約】  本開示の幾つかの実施形態は、ワイヤレスローカルエリアネットワーク（ＷＬＡＮ）における局間の直接リンク設定（ＤＬＳ）接続を確立するための技法と装置を提供する。直接リンク設定（ＤＬＳ）接続は、隠れた局からの送信との衝突の回避を助ける様態で確立されうる。【選択図】    図５
2011505754.tif 000002
【特許請求の範囲】
【請求項１】
ワイヤレスローカルエリアネットワーク中で局間の直接リンク設定（ＤＬＳ）接続を確立する方法において、
ベーシックサービスセット（ＢＳＳ）内でアクセスポイントに向かって、第１の局によって送信準備完了（ＲＴＳ）フレームを送信することと、
前記ＲＴＳおよび送信受入可（ＣＴＳ）フレームの少なくとも１つが、前記ＤＬＳ接続上で前記ＢＳＳにおいて、前記第１の局から第２の局への予期されたデータフレーム送信に適応するように設定された期間フィールドを有しており、前記ＲＴＳに応答して前記ＡＰから送信された前記送信受入可（ＣＴＳ）フレームを受信することと、
前記第１の局によって、前記ＤＬＳ接続上でデータフレームを直接前記第２の局と交換することとを具備する方法。
【請求項２】
前記ＲＴＳのソースアドレスは、
前記第２の局のメディアアクセス制御（ＭＡＣ）アドレスに設定される請求項１記載の方法。
【請求項３】
前記ＣＴＳの宛先アドレスは、
前記ＡＰによって前記ＲＴＳの前記ソースアドレスからコピーされたＳＴＡ２の前記ＭＡＣアドレスに設定される請求項１記載の方法。
【請求項４】
前記ＲＴＳのソースアドレスは、
前記第１の局のメディアアクセス制御（ＭＡＣ）アドレスに設定され、
期間フィールドは、
前記ＤＬＳ接続上で前記ＢＳＳにおいて、前記第１の局から第２の局への予期されたデータフレーム送信に適応するように設定された請求項１記載の方法。
【請求項５】
ベーシックサービスセット（ＢＳＳ）内でアクセスポイントに向かって、第１の局から別の送信準備完了（ＲＴＳ）フレームを送信することと、
前記ＲＴＳおよび送信受入可（ＣＴＳ）フレームの少なくとも１つが、異なるＤＬＳ接続上で前記ＢＳＳにおいて、前記第１の局から第３の局への予期されたデータフレーム送信に適応するように設定された期間フィールドを有しており、前記ＲＴＳに応答して前記ＡＰから送信された前記送信受入可（ＣＴＳ）フレームを受信することとを更に具備する請求項１記載の方法。
【請求項６】
ワイヤレス通信システム中でデータリンク設定送信を保護する方法において、
ベーシックサービスセット（ＢＳＳ）内で、受領者アドレスが前記第１の局のメディアアクセス制御（ＭＡＣ）アドレスに設定されたアドレスを有するセルフへの送信受入可（ＣＴＳ−ｔｏ−ｓｅｌｆ）であり、前記セルフへの送信受入可（ＣＴＳ−ｔｏ−ｓｅｌｆ）フレームを第１の局によって送信することと、
前記ＢＳＳ内で送信要求（ＲＴＳ）フレームを第２の局に送信することと、
前記第１の局によって、前記ＤＬＳ接続上で、データフレームを直接前記第２の局と交換することとを具備する方法。
【請求項７】
前記ＲＴＳおよびＣＴＳフレームの少なくとも１つが、
前記ＤＬＳ接続上で前記ＢＳＳにおいて、前記第１の局から第２の局への予期されたデータフレーム送信に適応するように設定された期間フィールドを有する請求項６記載の方法。
【請求項８】
受領者アドレスが前記第１の局のメディアアクセス制御（ＭＡＣ）アドレスに設定されたアドレスを有するＣＴＳ−ｔｏ−ｓｅｌｆであり、別の前記ＣＴＳ−ｔｏ−ｓｅｌｆフレームを第１の局によって送信することと、
前記ＢＳＳ内で送信要求（ＲＴＳ）フレームを第３の局に送信することとを更に具備する請求項６記載の方法。
【請求項９】
ワイヤレスローカルエリアネットワーク中で局間の直接リンク設定（ＤＬＳ）接続を確立する方法において、
ベーシックサービスセット（ＢＳＳ）内で、第１の局から送信準備完了（ＲＴＳ）フレームを受信することと、
前記ＲＴＳフレームの受領者アドレスが、記憶された送信権（ＴＸＯＰ）保持者アドレスと符合するかを決定することと、
もしそうであれば、前記第１の局に送信受入可（ＣＴＳ）フレームを送信し、データフレームを直接前記第１の局からＤＬＣ接続上で受信することを具備する方法。
【請求項１０】
前記ＲＴＳの前記期間フィールドは、
少なくとも前記データフレームと応答を送信するのに要求される時間をカバーするように設定される請求項９記載の方法。
【請求項１１】
前記第１の局のメディアアクセス制御（ＭＡＣ）アドレスに設定された送信アドレスを有する送信受入可（ＣＴＳ）フレームを、前記第１の局から受信することと、
前記第１の局のメディアアクセス制御（ＭＡＣ）アドレスを、前記ＴＸＯＰ保持者アドレスとして記憶することとを更に具備する請求項９記載の方法。
【請求項１２】
ワイヤレス通信システム中でデータリンク設定（ＤＬＳ）接続を確立する方法において、
ハイブリッドコーディネーション機能制御チャネルアクセス（ＨＣＣＡ）アクセスポイント（ＡＰ）を持ったアップリンク送信仕様（ＴＳＰＥＣ）を、第１の局によって設定することと、
前記ＨＣＣＡ  ＡＰからのデータに対するポーリングを、前記第１の局によって受信することと、
前記受信したポーリングに、受領確認（ＡＣＫ）を、前記第１の局によって応答することとを具備する方法。
【請求項１３】
前記ポーリングは、
ＴＸＯＰ期間が、データフロー要求を満足するために要求される時間期間をカバーするように設定されて衝突の無い（ＣＦ）ポーリングである請求項１２記載の方法。
【請求項１４】
前記ＤＬＳ接続上で、１つあるいはそれより多くの他の局と、データフレームを前記第１の局によって直接交換することを更に具備する請求項１２記載の方法。
【請求項１５】
前記ＤＬＳ接続上で、前記第１の局によって、１つあるいはそれより多くの他の局と直接データフレームを交換することは、
前記第１の局によって送信されたデータフレームに応答するデータを総計する、前記他の局からのフレームを受信することを具備する請求項１４記載の方法。
【請求項１６】
ワイヤレスローカルエリアネットワーク中の局間直接リンク設定（ＤＬＳ）接続を確立する装置において、
ベーシックサービスセット（ＢＳＳ）内でアクセスポイントに向かって、第１の局によって送信準備完了（ＲＴＳ）フレームを送信するロジックと、
前記ＲＴＳおよび送信受入可（ＣＴＳ）フレームの少なくとも１つが、前記ＤＬＳ接続上で前記ＢＳＳにおいて、前記第１の局から第２の局への予期されたデータフレーム送信に適応するように設定された期間フィールドを有しており、前記ＲＴＳに応答して前記ＡＰから送信された前記送信受入可（ＣＴＳ）フレームを受信するロジックと、
前記第１の局によって、ＤＬＳ接続上で、データフレームを直接前記第２の局と交換するロジックとを具備する装置。
【請求項１７】
前記ＲＴＳのソースアドレスは、
前記第２の局のメディアアクセス制御（ＭＡＣ）アドレスに設定される請求項１６記載の装置。
【請求項１８】
前記ＣＴＳの宛先アドレスは、
前記ＡＰによって前記ＲＴＳの前記ソースアドレスからコピーされたＳＴＡ２の前記ＭＡＣアドレスに設定される請求項１６記載の装置。
【請求項１９】
前記ＲＴＳのソースアドレスは、
前記第１の局のメディアアクセス制御（ＭＡＣ）アドレスに設定され、
期間フィールドは、
前記ＤＬＳ接続上で前記ＢＳＳにおいて、前記第１の局から第２の局への予期されたデータフレーム送信に適応するように設定された請求項１６記載の装置。
【請求項２０】
ベーシックサービスセット（ＢＳＳ）内でアクセスポイントに向かって、第１の局から別の送信準備完了（ＲＴＳ）フレームを送信するロジックと、
前記ＲＴＳおよび送信受入可（ＣＴＳ）フレームの少なくとも１つが、異なるＤＬＳ接続上で前記ＢＳＳにおいて、前記第１の局から第３の局への予期されたデータフレーム送信に適応するように設定された期間フィールドを有しており、前記ＲＴＳに応答して前記ＡＰから送信された前記送信受入可（ＣＴＳ）フレームを受信するロジックとを更に具備する請求項１６記載の装置。
【請求項２１】
ワイヤレス通信システム中でデータリンク設定送信を保護する装置において、
ベーシックサービスセット（ＢＳＳ）内で、受領者アドレスが前記第１の局のメディアアクセス制御（ＭＡＣ）アドレスに設定されたアドレスを有するセルフへの送信受入可（ＣＴＳ−ｔｏ−ｓｅｌｆ）であり、前記セルフへの送信受入可（ＣＴＳ−ｔｏ−ｓｅｌｆ）フレームを第１の局によって送信するロジックと、
前記ＢＳＳ内で送信要求（ＲＴＳ）フレームを第２の局に送信するロジックと、
前記第１の局によって、前記ＤＬＳ接続上で、データフレームを直接前記第２の局と交換するロジックとを具備する装置。
【請求項２２】
前記ＲＴＳおよびＣＴＳフレームの少なくとも１つが、
前記ＤＬＳ接続上で前記ＢＳＳにおいて、前記第１の局から第２の局への予期されたデータフレーム送信に適応するように設定された期間フィールドを有する請求項２１記載の装置。
【請求項２３】
受領者アドレスが前記第１の局のメディアアクセス制御（ＭＡＣ）アドレスに設定されたアドレスを有するＣＴＳ−ｔｏ−ｓｅｌｆであり、別の前記ＣＴＳ−ｔｏ−ｓｅｌｆフレームを前記第１の局によって送信するロジックと、
前記ＢＳＳ内で送信要求（ＲＴＳ）フレームを第３の局に送信するロジックとを更に具備する請求項２１記載の装置。
【請求項２４】
ワイヤレスローカルエリアネットワーク中で局間の直接リンク設定（ＤＬＳ）接続を確立する装置において、
ベーシックサービスセット（ＢＳＳ）内で、第１の局から送信準備完了（ＲＴＳ）フレームを受信するロジックと、
前記ＲＴＳフレームの受領者アドレスが、記憶された送信権（ＴＸＯＰ）保持者アドレスと符合するかを決定するロジックと、
もしそうであれば、前記第１の局に送信受入可（ＣＴＳ）フレームを送信し、データフレームを直接前記第１の局からＤＬＣ接続上で受信するロジックとを具備する装置。
【請求項２５】
前記ＲＴＳの前記期間フィールドは、
少なくとも前記データフレームと応答を送信するのに要求される時間をカバーするように設定される請求項２４記載の装置。
【請求項２６】
前記第１の局のメディアアクセス制御（ＭＡＣ）アドレスに設定された送信アドレスを有する送信受入可（ＣＴＳ）フレームを、前記第１の局から受信するロジックと、
前記第１の局のメディアアクセス制御（ＭＡＣ）アドレスを、前記ＴＸＯＰ保持者アドレスとして記憶するロジックとを更に具備する請求項２４記載の装置。
【請求項２７】
ワイヤレス通信システム中でデータリンク設定（ＤＬＳ）接続を確立する装置において、
ハイブリッドコーディネーション機能制御チャネルアクセス（ＨＣＣＡ）アクセスポイント（ＡＰ）を持ったアップリンク送信仕様（ＴＳＰＥＣ）を、第１の局によって設定するロジックと、
前記ＨＣＣＡ  ＡＰからのデータに対するポーリングを、前記第１の局によって受信するロジックと、
前記受信したポーリングに、受領確認（ＡＣＫ）を、前記第１の局によって応答するロジックとを具備する装置。
【請求項２８】
前記ポーリングは、
ＴＸＯＰ期間が、データフロー要求を満足するために要求される時間期間をカバーするように設定されて衝突の無い（ＣＦ）ポーリングである請求項２７記載の装置。
【請求項２９】
前記ＤＬＳ接続上で、１つあるいはそれより多くの他の局と、データフレームを前記第１の局によって直接交換するロジックを更に具備する請求項２７記載の装置。
【請求項３０】
前記ＤＬＳ接続上で、前記第１の局によって、１つあるいはそれより多くの他の局と直接データフレームを交換する前記ロジックは、
前記第１の局によって送信されたデータフレームに応答するデータを総計する、前記他の局からのフレームを受信するロジックを具備する請求項２９記載の装置。
【請求項３１】
ワイヤレスローカルエリアネットワーク中の局間直接リンク設定（ＤＬＳ）接続を確立する装置において、
ベーシックサービスセット（ＢＳＳ）内でアクセスポイントに向かって、第１の局によって送信準備完了（ＲＴＳ）フレームを送信する手段と、
前記ＲＴＳおよび送信受入可（ＣＴＳ）フレームの少なくとも１つが、前記ＤＬＳ接続上で前記ＢＳＳにおいて、前記第１の局から第２の局への予期されたデータフレーム送信に適応するように設定された期間フィールドを有しており、前記ＲＴＳに応答して前記ＡＰから送信された前記送信受入可（ＣＴＳ）フレームを受信する手段と、
前記第１の局によって、前記ＤＬＳ接続上で、データフレームを直接前記第２の局と交換する手段とを具備する装置。
【請求項３２】
前記ＲＴＳのソースアドレスは、
前記第２の局のメディアアクセス制御（ＭＡＣ）アドレスに設定される請求項３１記載の装置。
【請求項３３】
前記ＣＴＳの宛先アドレスは、
前記ＡＰによって前記ＲＴＳの前記ソースアドレスからコピーされたＳＴＡ２の前記ＭＡＣアドレスに設定される請求項３１記載の装置。
【請求項３４】
前記ＲＴＳのソースアドレスは、
前記第１の局のメディアアクセス制御（ＭＡＣ）アドレスに設定され、
期間フィールドは、
前記ＤＬＳ接続上で前記ＢＳＳにおいて、前記第１の局から第２の局への予期されたデータフレーム送信に適応するように設定された請求項３１記載の装置。
【請求項３５】
ベーシックサービスセット（ＢＳＳ）内でアクセスポイントに向かって、第１の局から別の送信準備完了（ＲＴＳ）フレームを送信する手段と、
前記ＲＴＳおよび送信受入可（ＣＴＳ）フレームの少なくとも１つが、異なるＤＬＳ接続上で前記ＢＳＳにおいて、前記第１の局から第３の局への予期されたデータフレーム送信に適応するように設定された期間フィールドを有しており、前記ＲＴＳに応答して前記ＡＰから送信された前記送信受入可（ＣＴＳ）フレームを受信する手段とを更に具備する請求項３１記載の装置。
【請求項３６】
ワイヤレス通信システム中でデータリンク設定送信を保護する装置において、
ベーシックサービスセット（ＢＳＳ）内で、受領者アドレスが前記第１の局のメディアアクセス制御（ＭＡＣ）アドレスに設定されたアドレスを有するセルフへの送信受入可（ＣＴＳ−ｔｏ−ｓｅｌｆ）であり、前記セルフへの送信受入可（ＣＴＳ−ｔｏ−ｓｅｌｆ）フレームを前記第１の局によって送信する手段と、
前記ＢＳＳ内で送信要求（ＲＴＳ）フレームを第２の局に送信する手段と、
前記第１の局によって、前記ＤＬＳ接続上で、データフレームを直接前記第２の局と交換する手段とを具備する装置。
【請求項３７】
前記ＲＴＳおよびＣＴＳフレームの少なくとも１つが、
前記ＤＬＳ接続上で前記ＢＳＳにおいて、前記第１の局から第２の局への予期されたデータフレーム送信に適応するように設定された期間フィールドを有する請求項３６記載の装置。
【請求項３８】
受領者アドレスが前記第１の局のメディアアクセス制御（ＭＡＣ）アドレスに設定されたアドレスを有するＣＴＳ−ｔｏ−ｓｅｌｆであり、別のＣＴＳ−ｔｏ−ｓｅｌｆフレームを前記第１の局によって送信する手段と、
前記ＢＳＳ内で送信要求（ＲＴＳ）フレームを第３の局に送信する手段とを更に具備する請求項３６記載の装置。
【請求項３９】
ワイヤレスローカルエリアネットワーク中で局間の直接リンク設定（ＤＬＳ）接続を確立する装置において、
ベーシックサービスセット（ＢＳＳ）内で、第１の局から送信準備完了（ＲＴＳ）フレームを受信する手段と、
前記ＲＴＳフレームの受領者アドレスが、記憶された送信権（ＴＸＯＰ）保持者アドレスと符合するかを決定する手段と、
もしそうであれば、前記第１の局に送信受入可（ＣＴＳ）フレームを送信し、データフレームを直接前記第１の局から前記ＤＬＣ接続上で受信する手段とを具備する装置。
【請求項４０】
前記ＲＴＳの前記期間フィールドは、
少なくとも前記データフレームと応答を送信するのに要求される時間をカバーするように設定される請求項３９記載の装置。
【請求項４１】
前記第１の局のメディアアクセス制御（ＭＡＣ）アドレスに設定された送信アドレスを有する送信受入可（ＣＴＳ）フレームを、前記第１の局から受信する手段と、
前記第１の局の前記メディアアクセス制御（ＭＡＣ）アドレスを、前記ＴＸＯＰ保持者アドレスとして記憶する手段とを更に具備する請求項３９記載の装置。
【請求項４２】
ワイヤレス通信システム中でデータリンク設定（ＤＬＳ）接続を確立する装置において、
ハイブリッドコーディネーション機能制御チャネルアクセス（ＨＣＣＡ）アクセスポイント（ＡＰ）を持ったアップリンク送信仕様（ＴＳＰＥＣ）を、第１の局によって設定する手段と、
前記ＨＣＣＡ  ＡＰからのデータに対するポーリングを、前記第１の局によって受信する手段と、
前記受信したポーリングに、受領確認（ＡＣＫ）を、前記第１の局によって応答する手段とを具備する装置。
【請求項４３】
前記ポーリングは、
ＴＸＯＰ期間が、データフロー要求を満足するために要求される時間期間をカバーするように設定されて衝突の無い（ＣＦ）ポーリングである請求項４２記載の装置。
【請求項４４】
前記ＤＬＳ接続上で、１つあるいはそれより多くの他の局と、データフレームを前記第１の局によって直接交換する手段を更に具備する請求項４２記載の装置。
【請求項４５】
前記ＤＬＳ接続上で、前記第１の局によって、１つあるいはそれより多くの他の局と直接データフレームを交換する手段は、
前記第１の局によって送信されたデータフレームに応答するデータを総計する、前記他の局からのフレームを受信する手段を具備する請求項４４記載の装置。
【請求項４６】
ワイヤレスローカルエリアネットワーク中の局間直接リンク設定（ＤＬＳ）接続を確立するコンピュータプログラム製品において、
命令がその上に記憶されているコンピュータ読み出し可能な媒体を備え、
前記命令は、１つあるいはそれより多くのプロセッサによって実行可能であり、
前記命令は、
ベーシックサービスセット（ＢＳＳ）内でアクセスポイントに向かって、第１の局によって送信準備完了（ＲＴＳ）フレームを送信する命令と、
前記ＲＴＳおよび送信受入可（ＣＴＳ）フレームの少なくとも１つが、前記ＤＬＳ接続上で前記ＢＳＳにおいて、前記第１の局から第２の局への予期されたデータフレーム送信に適応するように設定された期間フィールドを有しており、前記ＲＴＳに応答して前記ＡＰから送信された前記送信受入可（ＣＴＳ）フレームを受信する命令と、
前記第１の局によって、前記ＤＬＳ接続上で、データフレームを直接前記第２の局と交換する命令とを具備するコンピュータプログラム製品。
【請求項４７】
前記ＲＴＳのソースアドレスは、
前記第２の局のメディアアクセス制御（ＭＡＣ）アドレスに設定される請求項４６記載のコンピュータプログラム製品。
【請求項４８】
前記ＣＴＳの宛先アドレスは、
前記ＡＰによって前記ＲＴＳの前記ソースアドレスからコピーされたＳＴＡ２の前記ＭＡＣアドレスに設定される請求項４６記載のコンピュータプログラム製品。
【請求項４９】
前記ＲＴＳのソースアドレスは、
前記第１の局のメディアアクセス制御（ＭＡＣ）アドレスに設定され、
期間フィールドは、
前記ＤＬＳ接続上で前記ＢＳＳにおいて、前記第１の局から第２の局への予期されたデータフレーム送信に適応するように設定された請求項４６記載のコンピュータプログラム製品。
【請求項５０】
前記命令は、
ベーシックサービスセット（ＢＳＳ）内でアクセスポイントに向かって、第１の局から別の送信準備完了（ＲＴＳ）フレームを送信する命令と、
前記ＲＴＳおよび送信受入可（ＣＴＳ）フレームの少なくとも１つが、異なるＤＬＳ接続上で前記ＢＳＳにおいて、前記第１の局から第３の局への予期されたデータフレーム送信に適応するように設定された期間フィールドを有しており、前記ＲＴＳに応答して前記ＡＰから送信された前記送信受入可（ＣＴＳ）フレームを受信する命令とを更に具備する請求項４６記載のコンピュータプログラム製品。
【請求項５１】
ワイヤレス通信システム中でデータリンク設定送信を保護するコンピュータプログラム製品において、
命令がその上に記憶されているコンピュータ読み出し可能な媒体を備え、
前記命令は、１つあるいはそれより多くのプロセッサによって実行可能であり、
前記命令は、
ベーシックサービスセット（ＢＳＳ）内で、受領者アドレスが前記第１の局のメディアアクセス制御（ＭＡＣ）アドレスに設定されたアドレスを有するセルフへの送信受入可（ＣＴＳ−ｔｏ−ｓｅｌｆ）であり、前記セルフへの送信受入可（ＣＴＳ−ｔｏ−ｓｅｌｆ）フレームを第１の局によって送信する命令と、
前記ＢＳＳ内で送信要求（ＲＴＳ）フレームを第２の局に送信する命令と、
前記第１の局によって、前記ＤＬＳ接続上で、データフレームを直接前記第２の局と交換する命令とを具備するコンピュータプログラム製品。
【請求項５２】
前記ＲＴＳおよびＣＴＳフレームの少なくとも１つが、
前記ＤＬＳ接続上で前記ＢＳＳにおいて、前記第１の局から第２の局への予期されたデータフレーム送信に適応するように設定された期間フィールドを有する請求項５１記載のコンピュータプログラム製品。
【請求項５３】
前記命令は、
受領者アドレスが前記第１の局のメディアアクセス制御（ＭＡＣ）アドレスに設定されたアドレスを有するＣＴＳ−ｔｏ−ｓｅｌｆであり、別の前記ＣＴＳ−ｔｏ−ｓｅｌｆフレームを前記第１の局によって送信する命令と、
前記ＢＳＳ内で送信要求（ＲＴＳ）フレームを第３の局に送信する命令とを更に具備する請求項５１記載のコンピュータプログラム製品。
【請求項５４】
ワイヤレスローカルエリアネットワーク中で局間の直接リンク設定（ＤＬＳ）接続を確立するコンピュータプログラム製品において、
命令がその上に記憶されているコンピュータ読み出し可能な媒体を備え、
前記命令は、１つあるいはそれより多くのプロセッサによって実行可能であり、
前記命令は、
ベーシックサービスセット（ＢＳＳ）内で、第１の局から送信準備完了（ＲＴＳ）フレームを受信する命令と、
前記ＲＴＳフレームの受領者アドレスが、記憶された送信権（ＴＸＯＰ）保持者アドレスと符合するかを決定する命令と、
もしそうであれば、前記第１の局に送信受入可（ＣＴＳ）フレームを送信し、データフレームを直接前記第１の局から前記ＤＬＣ接続上で受信する命令とを具備するコンピュータプログラム製品。
【請求項５５】
前記ＲＴＳの前記期間フィールドは、
少なくとも前記データフレームと応答を送信するのに要求される時間をカバーするように設定される請求項５４記載のコンピュータプログラム製品。
【請求項５６】
前記命令は、
前記第１の局のメディアアクセス制御（ＭＡＣ）アドレスに設定された送信アドレスを有する送信受入可（ＣＴＳ）フレームを、前記第１の局から受信する命令と、
前記第１の局のメディアアクセス制御（ＭＡＣ）アドレスを、前記ＴＸＯＰ保持者アドレスとして記憶する命令とを更に具備する請求項５４記載のコンピュータプログラム製品。
【請求項５７】
ワイヤレス通信システム中でデータリンク設定（ＤＬＳ）接続を確立するコンピュータプログラム製品において、
命令がその上に記憶されているコンピュータ読み出し可能な媒体を備え、
前記命令は、１つあるいはそれより多くのプロセッサによって実行可能であり、
前記命令は、
ハイブリッドコーディネーション機能制御チャネルアクセス（ＨＣＣＡ）アクセスポイント（ＡＰ）を持ったアップリンク送信仕様（ＴＳＰＥＣ）を、第１の局によって設定する命令と、
ＨＣＣＡ  ＡＰからのデータに対するポーリングを、前記第１の局によって受信する命令と、
前記受信したポーリングに、受領確認（ＡＣＫ）を、前記第１の局によって応答する命令とを具備するコンピュータプログラム製品。
【請求項５８】
前記ポーリングは、
ＴＸＯＰ期間が、データフロー要求を満足するために要求される時間期間をカバーするように設定されて衝突の無い（ＣＦ）ポーリングである請求項５７記載のコンピュータプログラム製品。
【請求項５９】
前記命令は、
前記ＤＬＳ接続上で、１つあるいはそれより多くの他の局と、データフレームを前記第１の局によって直接交換する命令を更に具備する請求項５７記載のコンピュータプログラム製品。
【請求項６０】
前記ＤＬＳ接続上で、前記第１の局によって、１つあるいはそれより多くの他の局と直接データフレームを交換する命令は、
前記第１の局によって送信されたデータフレームに応答するデータを総計する、前記他の局からのフレームを受信する命令を具備する請求項５９記載のコンピュータプログラム製品。
【発明の詳細な説明】
【関連出願】
【０００１】
本出願は、“ワイヤレス通信システムにおける直接リンク設定（ＤＬＳ）送信の保護”と題する２００７年１１月２８日に出願された米国仮特許出願第６０／９９０，９０４号に対して優先権の利益を主張し、この全体は参照によりここに全ての目的のために組み込まれている。
【発明の分野】
【０００２】
本開示の実施形態は、一般的に、ワイヤレス通信に関し、さらに特定的には、局間の衝突の無い（ｃｏｎｔｅｎｔｉｏｎ−ｆｒｅｅ）通信を促進することに関する。
【背景】
【０００３】
ワイヤレスローカルエリアネットワーク（ＷＬＡＮ）は、典型的に、アクセスポイント（ＡＰ）を通して、グループの局間およびネットワーク間に情報を伝達する局のグループ（ＳＴＡｓ）から成っている。有線ネットワークに典型的に接続される局およびアクセスポイントは、しばしば、ベーシックサービスセット（ＢＳＳ）と呼ばれる。
【０００４】
ＷＬＡＮにおいて、ＡＰは、典型的に分配の中心の役を務める。在来のＷＬＡＮ、ＳＴＡｓは、通常、お互いに直接通信を行うことは許容されず、ＳＴＡｓ間でのフレームの配給に対して、ＡＰに依存しなくてはならない。しかし、ＱｏＳファシリティを持ったＳＴＡｓ（ＱＳＴＡｓ）は、直接リンク設定（ＤＬＳ）と呼ばれるものを使用して、データ転送を設定することによって、他に直接的にフレームを送信することが出来る。
【０００５】
１つのＱＳＴＡ（例えば、ＳＴＡ１）が、ＱｏＳファシリティを持ったＡＰ（ＱＡＰ）に、ＤＬＳ要求フレームを送信するときに、ＤＬＳリンクは確立される。この要求は、それを持ってＤＬＳ設定が要求される、ＳＴＡ１の能力および第２のＱＳＴＡ（例えば、ＳＴＡ２）のアドレスを含む。ＢＳＳにおいてＤＬＳが許容される場合、ＱＡＰは、この情報を、意図された受領者ＳＴＡ２に転送する。ＳＴＡ２が、このＤＬＳ接続を応諾する場合、これは、ＳＴＡ１に転送されるであろうＤＬＳ応答フレームを、ＱＡＰに送信する。この初期の設定後、ＳＴＡ１およびＳＴＡ２は、直接フレームを交換することが出来うる。
【０００６】
ＢＳＳにおいて、ＤＬＳリンクが確立された２つのＳＴＡｓから隠れた第３のＳＴＡ（ＳＴＡ４）が存在する場合、そのＤＬＳリンクに気付いていない隠れたＳＴＡは、自身の送信を開始し、衝突が引き起こされる。従って、隠れた局より送信されるフレームとの衝突からＤＬＳフレームを保護する技法が必要とされる。
【概要】
【０００７】
本開示の、ある実施形態は、ワイヤレスローカルエリアネットワークにおける局間の直接リンク設定（ＤＬＳ）接続を確立する方法を提供する。方法は、第１の局によってベーシックサービスセット（ＢＳＳ）内のアクセスポイントに向かって送信準備完了（ＲＴＳ）フレームを送信することと、ＲＴＳおよびＣＴＳフレームの少なくとも１つが、ＤＬＳ接続上でＢＳＳにおいて、第１の局から第２の局への予期されたデータフレーム送信に適応するように設定された期間フィールドを有しており、ＡＰからＲＴＳに応答して送信された送信受入可（ＣＴＳ）フレームを受信することと、第１の局によって、ＤＬＳ接続上で、データフレームを直接第２の局と交換することとを一般的に含む。
【０００８】
本開示のある実施形態は、ワイヤレスローカルエリアネットワークにおける局間の直接リンク設定（ＤＬＳ）接続を確立する方法を提供する。方法は、第１の局のメディアアクセス制御（ＭＡＣ）アドレスに設定された受領者アドレスを有するセルフ（ＣＴＳ−ｔｏ−ｓｅｌｆ）フレームに、ベーシックサービスセット（ＢＳＳ）内の第１の局によって送信受入可（ＣＴＳ）を送信することと、ＢＳＳ内の第２の局に送信要求（ＲＴＳ）を送信することと、第１の局によって、ＤＬＳ接続上で、データフレームを直接第２の局と交換することとを一般的に含む。
【０００９】
本開示の、ある実施形態は、ワイヤレスローカルエリアネットワークにおける局間の直接リンク設定（ＤＬＳ）接続を確立する方法を提供する。方法は、ベーシックサービスセット（ＢＳＳ）内の第１の局から、送信準備完了（ＲＴＳ）フレームを受信することと、ＲＴＳフレームの受領者アドレスが、記憶された送信権（ＴＸＯＰ）保持者アドレスと符合するかを決定し、符合する場合は、第１の局に送信受入可（ＣＴＳ）フレームを送信することと、第１の局から、ＤＬＳ接続上で、データフレームを直接受信することとを一般的に含む。
【００１０】
本開示の、ある実施形態は、ワイヤレスローカルエリアネットワークにおける局間の直接リンク設定（ＤＬＳ）接続を確立する方法を提供する。方法は、第１の局によって、ＨＣＣＡアクセスポイント（ＡＰ）とのアップリンク送信仕様（ＴＳＰＥＣ）を設定することと、第１の局によって、ＨＣＣＡ  ＡＰからデータに対するポーリング（ｐｏｌｌ）を受信することと、第１の局によって、受信したポーリングに受領確認（ＡＣＫ）を応答することとを一般的に含む。
【００１１】
ある実施形態は、ワイヤレスローカルエリアネットワークにおける局間の直接リンク設定（ＤＬＳ）接続を確立する装置を提供する。装置は、第１の局によってベーシックサービスセット（ＢＳＳ）内のアクセスポイントに向かって送信準備完了（ＲＴＳ）フレームを送信するロジックと、ＲＴＳおよびＣＴＳフレームの少なくとも１つが、ＤＬＳ接続上でＢＳＳにおいて、第１の局から第２の局への予期されたフレーム送信に適応するように設定された期間フィールドを有しており、ＡＰからＲＴＳに応答して送信された送信受入可（ＣＴＳ）フレームを受信するロジックと、第１の局によって、ＤＬＳ接続上で、データフレームを直接第２の局と交換するロジックとを一般的に含む。
【００１２】
ある実施形態は、ワイヤレス通信システムにおけるデータリンク設定送信を保護する装置を提供する。装置は、第１の局のメディアアクセス制御（ＭＡＣ）アドレスに設定された受領者アドレスを有するセルフ（ＣＴＳ−ｔｏ−ｓｅｌｆ）フレームに、ベーシックサービスセット（ＢＳＳ）内の第１の局によって送信受入可（ＣＴＳ）を送信するロジックと、ＢＳＳ内の第２の局に送信要求（ＲＴＳ）を送信するロジックと、第１の局によって、ＤＬＳ接続上で、データフレームを直接第２の局と交換するロジックとを一般的に含む。
【００１３】
ある実施形態は、ワイヤレスローカルエリアネットワークにおける局間の直接リンク設定（ＤＬＳ）接続を確立する方法を提供する。装置は、ベーシックサービスセット（ＢＳＳ）内の第１の局から、送信準備完了（ＲＴＳ）フレームを受信するロジックと、ＲＴＳフレームの受領者アドレスが、記憶された送信権（ｏｐｐｏｒｔｕｎｉｔｙ）（ＴＸＯＰ）保持者アドレスと符合（ｍａｔｃｈ）するかを決定し、そうである場合は、第１の局に送信受入可（ＣＴＳ）フレームを送信するロジックと、第１の局から、ＤＬＳ接続上で、データフレームを直接受信するロジックとを一般的に含む。
【００１４】
ある実施形態は、ワイヤレス通信システムにおける局間の直接リンク設定（ＤＬＳ）接続を確立する装置を提供する。装置は、第１の局によって、ＨＣＣＡアクセスポイント（ＡＰ）とのアップリンク送信仕様（ＴＳＰＥＣ）を設定するロジックと、第１の局によって、ＨＣＣＡ  ＡＰからデータに対するポーリング（ｐｏｌｌ）を受信するロジックと、第１の局によって、受信したポーリングに受領確認（ＡＣＫ）を応答するロジックとを一般的に含む。
【００１５】
ある実施形態は、ワイヤレスローカルエリアネットワークにおける局間の直接リンク設定（ＤＬＳ）接続を確立する装置を提供する。装置は、第１の局によってベーシックサービスセット（ＢＳＳ）内のアクセスポイントに向かって送信準備完了（ＲＴＳ）フレームを送信する手段と、ＲＴＳおよびＣＴＳフレームの少なくとも１つが、ＤＬＳ接続上でＢＳＳにおいて、第１の局から第２の局への予期されたフレーム送信に適応するように設定された期間フィールドを有しており、ＡＰからＲＴＳに応答して送信された送信受入可（ＣＴＳ）フレームを受信する手段と、第１の局によって、ＤＬＳ接続上で、データフレームを直接第２の局と交換する手段とを一般的に含む。
【００１６】
ある実施形態は、ワイヤレス通信システムにおけるデータリンク設定送信を保護する装置を提供する。装置は、第１の局のメディアアクセス制御（ＭＡＣ）アドレスに設定された受領者アドレスを有するセルフ（ＣＴＳ−ｔｏ−ｓｅｌｆ）フレームに、ベーシックサービスセット（ＢＳＳ）内の第１の局によって送信受入可（ＣＴＳ）を送信する手段と、ＢＳＳ内の第２の局に送信要求（ＲＴＳ）を送信する手段と、第１の局によって、ＤＬＳ接続上で、データフレームを直接第２の局と交換する手段とを一般的に含む。
【００１７】
ある実施形態は、ワイヤレスローカルエリアネットワークにおける局間の直接リンク設定（ＤＬＳ）接続を確立する装置を提供する。装置は、ベーシックサービスセット（ＢＳＳ）内の第１の局から、送信準備完了（ＲＴＳ）フレームを受信する手段と、ＲＴＳフレームの受領者アドレスが、記憶された送信権（ＴＸＯＰ）保持者アドレスと符合するかを決定し、そうである場合は、第１の局に送信受入可（ＣＴＳ）フレームを送信する手段と、第１の局から、ＤＬＳ接続上で、データフレームを直接受信する手段とを一般的に含む。
【００１８】
ある実施形態は、ワイヤレス通信システムにおける局間の直接リンク設定（ＤＬＳ）接続を確立する装置を提供する。装置は、第１の局によって、ＨＣＣＡアクセスポイント（ＡＰ）とのアップリンク送信仕様（ＴＳＰＥＣ）を設定する手段と、第１の局によって、ＨＣＣＡ  ＡＰからデータに対するポーリング（ｐｏｌｌ）を受信する手段と、第１の局によって、受信したポーリングに受領確認（ＡＣＫ）を応答する手段とを一般的に含む。
【００１９】
ある実施形態は、１つあるいはそれより多くのプロセッサによって実行可能な命令が、その上に記憶されているコンピュータ読み出し可能な媒体を具備し、ワイヤレスローカルエリアネットワークにおける局間の直接リンク設定（ＤＬＳ）接続を確立するコンピュータプログラム製品を提供する。命令は、第１の局によってベーシックサービスセット（ＢＳＳ）内のアクセスポイントに向かって送信準備完了（ＲＴＳ）フレームを送信する命令と、ＲＴＳおよびＣＴＳフレームの少なくとも１つが、ＤＬＳ接続上でＢＳＳにおいて、第１の局から第２の局への予期されたフレーム送信に適応するように設定された期間フィールドを有しており、ＡＰからＲＴＳに応答して送信された送信受入可（ＣＴＳ）フレームを受信する命令と、第１の局によって、ＤＬＳ接続上で、データフレームを直接第２の局と交換する命令とを一般的に含む。
【００２０】
ある実施形態は、１つあるいはそれより多くのプロセッサによって実行可能な命令が、その上に記憶されているコンピュータ読み出し可能な媒体を具備し、ワイヤレス通信システムにおけるデータリンク設定送信を保護するコンピュータプログラム製品を提供する。装置は、第１の局のメディアアクセス制御（ＭＡＣ）アドレスに設定された受領者アドレスを有するセルフ（ＣＴＳ−ｔｏ−ｓｅｌｆ）フレームに、ベーシックサービスセット（ＢＳＳ）内の第１の局によって送信受入可（ＣＴＳ）を送信する命令と、ＢＳＳ内の第２の局に送信要求（ＲＴＳ）を送信する命令と、第１の局によって、ＤＬＳ接続上で、データフレームを直接第２の局と交換する命令とを一般的に含む。
【００２１】
ある実施形態は、１つあるいはそれより多くのプロセッサによって実行可能な命令が、その上に記憶されているコンピュータ読み出し可能な媒体を具備し、ワイヤレスローカルエリアネットワークにおける局間の直接リンク設定（ＤＬＳ）接続を確立するコンピュータプログラム製品を提供する。装置は、ベーシックサービスセット（ＢＳＳ）内の第１の局から、送信準備完了（ＲＴＳ）フレームを受信する命令と、ＲＴＳフレームの受領者アドレスが、記憶された送信権（ＴＸＯＰ）保持者アドレスと符合するかを決定し、そうである場合は、第１の局に送信受入可（ＣＴＳ）フレームを送信する命令と、第１の局から、ＤＬＳ接続上で、データフレームを直接受信する命令とを一般的に含む。
【００２２】
ある実施形態は、１つあるいはそれより多くのプロセッサによって実行可能な命令が、その上に記憶されているコンピュータ読み出し可能な媒体を具備し、ワイヤレス通信システムにおけるデータリンク設定（ＤＬＳ）接続を確立するコンピュータプログラム製品を提供する。装置は、第１の局によって、ＨＣＣＡアクセスポイント（ＡＰ）とのアップリンク送信仕様（ＴＳＰＥＣ）を設定する命令と、第１の局によって、ＨＣＣＡ  ＡＰからデータに対するポーリング（ｐｏｌｌ）を受信する命令と、第１の局によって、受信したポーリングに受領確認（ＡＣＫ）を応答する命令とを一般的に含む。
【図面の簡単な説明】
【００２３】
上に引用された本開示の特徴が、態様の中で詳細に理解されうるように、上で簡潔に要約された、更に特定の記述が、実施形態の参照によってなさることが出来、幾つかは付属の図面において例解されうる。しかし、付属の図面は、幾つかのみの本開示の典型的な実施形態を例解し、従って、本開示の範囲の制限とは考えられず、記述に対し、他の等しく有効な実施形態を許容するものである。  
【図１】図１は、本開示の、ある実施形態に従うローカルエリアネットワーク（ＷＬＡＮ）例を例解する。
【図２】図２は、本開示の、ある実施形態に従うアクセスポイント（ＡＰ）および２つの局のブロック図を例解する。
【図３】図３は、本開示の、ある実施形態に従い、ワイヤレスデバイス中で使用されうる様々なコンポーネントを例解する。
【図４】図４は、本開示の、ある実施形態に従い、局間の直接リンク設定（ＤＬＳ）を確立する動作例のフロー図である。
【図４Ａ】図４Ａは、図４において示された動作の実行が可能なコンポーネント例を例解する。
【図５】図５は、図４において示された動作に対応するメッセージの交換例を例解する。
【図６】図６は、本開示の、ある実施形態に従い、局間の直接リンク設定（ＤＬＳ）を確立する動作例のフロー図である。
【図６Ａ】図６Ａは、図６において示された動作の実行が可能なコンポーネント例を例解する。
【図７】図７は、図６において示された動作に対応するメッセージの交換例を例解する。
【図８】図８は、本開示の、ある実施形態に従い、局間の直接リンク設定（ＤＬＳ）を確立する動作例のフロー図である。
【図８Ａ】図８Ａは、図８において示された動作の実行が可能なコンポーネント例を例解する。
【図９】図９は、図８において示された動作に対応するメッセージの交換例を例解する。
【図１０】図１０は、本開示の、ある実施形態に従い、局間の直接リンク設定（ＤＬＳ）を確立する動作例のフロー図である。
【図１０Ａ】図１０Ａは、図１０において示された動作の実行が可能なコンポーネント例を例解する。
【図１１】図１１は、図１０において示された動作に対応するメッセージの交換例を例解する。
【詳細な説明】
【００２４】
本開示の、ある実施形態は、ワイヤレスローカルエリアネットワーク（ＷＬＡＮ）における局間の直接リンク設定（ＤＬＳ）接続を確立する技法および装置を提供する。ＤＬＳ接続は、隠れた局との衝突の回避を助ける様態で確立されうる。
【００２５】
用語“例示的”は、本出願において、“例、凡例、または例解として提供すること”を意味する。“例示的”として記述された実施形態は、他の実施形態よりも好ましい、または有利と解釈される必要は無い。また、本出願で使用されているように、用語“レガシー局”は、一般的に、８０２．１１ｎまたはＩＥＥＥ８０２．１１標準規格の初期のバージョンをサポートするワイヤレスネットワークノードを指す。
【００２６】
本出願に記述された技法は、コード分割多元接続（ＣＤＭＡ）、直交周波数分割マルチプレックシング（ＯＦＤＭ）、時分割多元接続（ＴＤＭＡ）等々のような様々なワイヤレス技術と組み合わされて使用されうる。多数のユーザ端末は、異なる（１）ＣＤＭＡに対する直交コードチャネル、（２）ＴＤＭＡに対する時間スロット、または（３）ＯＦＤＭに対するサブバンドを介して、データを同時に送信／受信することが出来る。ＣＤＭＡシステムは、ＩＳ−２０００、ＩＳ−９５、ＩＳ−８５６、ワイドバンドＣＤＭＡ（Ｗ−ＣＤＭＡ）、または他の標準規格を実現しうる。ＯＦＤＭシステムは、ＩＥＥＥ８０２．１１や他の幾つかの標準規格を実現しうる。ＴＤＭＡシステムは、ＧＳＭや他の幾つかの標準規格を実現しうる。これらの様々な標準規格は、本技術において知られている。
【００２７】
例示的ＷＬＡＮシステム
図１は、アクセスポイント、およびユーザ端末や局（ＳＴＡｓ）を持った多元アクセスＷＬＡＮシステム１００を示す。簡略のために、１つのアクセスポイント１１０のみが図１に示されている。アクセスポイント（ＡＰ）は、一般的には、ユーザ端末と通信する固定局であり、また基地局とかその他の術語で呼ばれうる。ユーザ端末は、固定または移動的でありえて、また移動局、局（ＳＴＡ）、クライアント、ワイヤレスデバイス、または他の術語で呼ばれうる。ユーザ端末やＳＴＡは、セルラ電話、パーソナルデジタルアシスタント（ＰＤＡ）、ハンドヘルドデバイス、ワイヤレスモデム、ラップトップコンピュータ、パーソナルコンピュータ、または他の任意のワイヤレス通信が可能なデバイスのようなワイヤレスデバイスでありうる。
【００２８】
アクセスポイント１１０は、ダウンリンクおよびアップリンク上で任意の所定の瞬間に、１つあるいはそれより多くのユーザ端末１２０と通信することが出来る。ダウンリンク（即ち、順方向リンク）は、アクセスポイントからユーザ端末への通信リンクであり、アップリンク（即ち、逆方向リンク）は、ユーザ端末からアクセスポイントへの通信リンクである。ユーザ端末は、また、別のユーザ端末とピアツーピア通信を行うことが出来る。システムコントローラ１３０は、アクセスポイントに対して、結合および協働と制御を提供する。
【００２９】
ある実施形態に対して、１つあるいはそれより多くのユーザ端末１２０は、空間分割多元接続（ＳＤＭＡ）を介して通信可能である。ある実施形態に対しては、１つあるいはそれより多くのユーザ端末１２０は、ＳＤＭＡをサポートしない。従って、ＳＤＭＡをサポートするユーザ端末と、サポートしない端末１２０との組み合わせを含むような実施形態に対しては、ＡＰ１１０は、ＳＤＭＡと非ＳＤＭＡユーザ端末の両方と通信するように構成することが出来る。
【００３０】
システム１００は、ダウンリンクおよびアップリンク上でのデータ送信用の１つあるいはそれより多くの送信および受信アンテナを使用することが出来る。アクセスポイント１１０は、数Ｎａｐの１つあるいはそれより多くのアンテナを装備し、ダウンリンク送信に対して複数入力（ＭＩ）およびアップリンク送信に対して複数出力（ＭＯ）を示すことが出来る。選択されたユーザ端末１２０のセット数Ｎｕは、ダウンリンク送信に対する複数出力と、アップリンク送信に対する複数入力を集合的に示す。純粋なＳＤＭＡに対しては、
Ｎｕ個のユーザ端末に対するデータシンボルストリームが、何らかの手段によってコード、周波数、または時間にマルチプレックスされない場合、Ｎａｐ≧Ｎｕ≧１であることが望まれる。データシンボルストリームが、異なるコードチャネルを使用してＣＤＭＡと、サブバンドのばらばらにしたセットを使用してＯＦＤＭと、等々とマルチプレックスされうる場合は、Ｎｕは、Ｎａｐより大でありうる。各々の選択されたユーザ端末は、ユーザ特有データをアクセスポイントに送信、および／または、ユーザ特有データをアクセスポイントから受信する。一般的に、各々の選択されたユーザ端末は、１つまたは複数のアンテナ（即ち、Ｎｕｔ≧１）を装備することが出来る。Ｎｕ個の選択されたユーザ端末は、同一または異なる数のアンテナを有することが出来る。
【００３１】
システム１００は、時分割デュプレックス（ＴＤＤ）システムや周波数分割デュプレックス（ＦＤＤ）システムでありうる。ＴＤＤシステムに対して、ダウンリンクおよびアップリンクは同一周波数バンドを共有する。ＦＤＤシステムに対して、ダウンリンクおよびアップリンクは異なる周波数バンドを使用する。システム１００は、また、送信に対して、単一キャリアまたは複数キャリアを使用することが出来る。各々のユーザ端末は、（例えば、コストを下げるために）１つのアンテナを装備され、または、（例えば、追加コストが扶助されている場合は）複数のアンテナが装備されうる。
【００３２】
図２は、アクセスポイント１１０および２つのユーザ端末１２０ｍと１２０ｘのブロック図例を示す。ＭＩＭＯ構成が示されているが、ここで記述されている技法は、また単一送信−受信アンテナペアを使用するデバイスにも適用される。
【００３３】
例解的に、アクセスポイント１１０は、２２４ａから２２４ａｐまでのＮａｐ個のアンテナを装備されている。ユーザ端末１２０ｍは、２５２ｍａから２５２ｍｕまでのＮｕｔ個のｍアンテナを装備されており、ユーザ端末１２０ｘは、２５２ｘａから２５２ｘｕまでのＮｕｔ個のｘアンテナを装備されている。アクセスポイント１１０は、ダウンリンクに対しては送信エンティティであり、アップリンクに対しては受信エンティティである。各々のユーザ端末１２０は、アップリンクに対しては送信エンティティであり、ダウンリンクに対しては受信エンティティである。ここで使用されるように、“送信エンティティ”は、独立的に動作される装置やワイヤレスチャネルを介して送信可能なデバイスであり、“受信エンティティ”は、独立的に動作される装置やワイヤレスチャネルを介して受信可能なデバイスである。以下の記述において、添字文字“ｄｎ”は、ダウンリンクを示し、添字文字“ｕｐ”は、アップリンクを示し、Ｎｕｐ個のユーザ端末は、アップリンク上で同時に送信するために選択され、Ｎｄｎ個のユーザ端末は、ダウンリンク上で同時に送信するために選択され、Ｎｕｐは、Ｎｄｎと等しいか等しくないかであり、ＮｕｐおよびＮｄｎは静的な値、または各スケジューリング間隔に対して変化しうる値である。ビームステアリング（Ｂｅａｍ−ｓｔｅｅｒｉｎｇ）技法または他の空間処理技法は、アクセスポイントおよびユーザ端末において使用されうる。
【００３４】
アップリンク上で、アップリンク送信に対して選択された各々のユーザ端末１２０において、ＴＸデータプロセッサ２８８は、トラフィックデータをデータソース２８６から、また、制御データをコントローラ２８０から受信する。ＴＸデータプロセッサ２８８は、ユーザ端末に対し、トラフィックデータ｛ｄｕｐ，ｍ｝を、ユーザ端末のために選択されたレートに関係付けられたコーディングと変調スキームとに基づいて処理（例えば、エンコード、インターリーブ、および変調）し、データシンボルストリーム｛ｓｕｐ，ｍ｝を提供する。ＴＸ空間プロセッサ２９０は、データシンボルストリーム｛ｓｕｐ，ｍ｝の空間処理を実行し、Ｎｕｔ個のｍアンテナに対するＮｕｔ個のｍ送信シンボルストリームを提供する。各々の送信ユニット（ＴＭＴＲ）２５４は、アップリンク信号を発生するために、夫々の送信シンボルストリームを受信し、処理（例えば、アナログに変換、増幅、フィルタ、および周波数変換）する。Ｎｕｔ個のｍ送信ユニット２５４は、送信のためのＮｕｔ個のｍアップリンク信号を、Ｎｕｔ個のｍアンテナ２５２からアクセスポイント１１０に提供する。
【００３５】
ユーザ端末の数Ｎｕｐは、アップリンク上での同時送信に対してスケジュールされうる。これらのユーザ端末の各々は、データシンボルストリームの空間処理を実行し、アップリンク上で、送信シンボルストリームのセットをアクセスポイントに送信する。
【００３６】
アクセスポイン１１０において、２２４ａから２２４ａｐまでのＮａｐ個のアンテナは、アップリンク上で、送信している全てのＮｕｐ個のユーザ端末からアップリンク信号を受信する。各々のアンテナ２２４は、受信した信号を夫々の受信機ユニット（ＲＣＶＲ）２２２に提供する。各々の受信機ユニット２２２は、送信機ユニット２５４によって実行される処理と相補的である処理を実行し、受信したシンボルストリームを提供する。ＲＸ空間プロセッサ２４０は、Ｎａｐ個の受信機ユニット２２２から受信したＮａｐ個のシンボルストリームの受信機空間処理を実行し、Ｎｕｐ個の回復したアップリンクデータシンボルストリームを提供する。受信機空間処理は、チャネル相関行列反転（ＣＣＭＩ）や、最小平均二乗誤差（ＭＭＳＥ）や、連続干渉除去（ＳＩＣ）や、幾つかの他の技法に従って実行される。各々の回復されたアップリンクデータシンボルストリーム｛ｓｕｐ，ｍ｝は、夫々のユーザ端末によって送信されたデータシンボルストリーム｛ｓｕｐ，ｍ｝の推定値である。ＲＸデータプロセッサ２４２は、デコードされたデータを取得するために、各々の回復されたアップリンクデータシンボルストリーム｛ｓｕｐ，ｍ｝を、そのストリームに対して使用されるレートに従って処理（例えば、復調、デインターリーブ、およびデコード）する。各々のユーザ端末に対するデコードされたデータは、記憶のためにデータシンク２４４に、および／または、更なる処理のためにコントローラ２３０に提供されうる。
【００３７】
ダウンリンク上で、アクセスポイント１１０において、ＴＸデータプロセッサ２１０は、ダウンリンク送信予定されるＮｄｎ個のユーザ端末に対するデータソース２０８からのトラフィックデータと、コントローラ２３０からの制御データと、あるいはスケジューラ２３４からの他のデータとを受信する。様々なタイプのデータは、異なる運搬チャネル上で送信されうる。ＴＸデータプロセッサ２１０は、そのユーザ端末に対して選択されたレートに基づいて、各々のユーザ端末に対するトラフィックデータを処理（エンコード、インターリーブ、および変調）する。ＴＸデータプロセッサ２１０は、Ｎｄｎ個のユーザ端末に対して、Ｎｄｎ個のダウンリンクデータシンボルストリームを提供する。ＴＸ空間プロセッサ２２０は、Ｎｄｎ個のダウンリンクデータシンボルストリームの空間的処理を実行し、Ｎａｐ個のアンテナに対するＮａｐ個の送信シンボルストリームを提供する。各々の送信機ユニット（ＴＭＴＲ）２２２は、ダウンリンク信号を発生するために、夫々の送信シンボルストリームを受信し、処理する。Ｎａｐ個の送信機ユニット２２２は、Ｎａｐ個のアンテナ２２４からユーザ端末に、送信のためのＮａｐ個のダウンリンク信号を提供する。
【００３８】
各々のユーザ端末１２０において、Ｎｕｔ個のｍアンテナ２５２は、Ｎａｐ個のダウンリンク信号をアクセスポイント１１０から受信する。各々の受信機ユニット（ＲＣＶＲ）２５４は、関係するアンテナ２５２から受信した信号を処理し、受信したシンボルストリームを提供する。ＲＸ空間プロセッサ２６０は、Ｎｕｔ個の受信機ユニット２５４から受信されたＮｕｔ個のｍシンボルストリームの受信機空間処理を実行し、ユーザ端末に対して、回復されたダウンリンクデータシンボルストリーム｛ｓｄｎ，ｍ｝を提供する。受信機空間処理は、ＣＣＭＩ、ＭＭＳＥ、または幾つかの他の技法に従って実行される。ＲＸデータプロセッサ２７０は、ユーザ端末に対するデコードされたデータを取得するために回復されたダウンリンクデータシンボルストリームを処理（例えば、復調、デインターリーブ、およびデコード）する。
【００３９】
各々のユーザ端末１２０において、Ｎｕｔ個のｍアンテナ２５２は、Ｎａｐ個のダウンリンク信号をアクセスポイント１１０から受信する。各々の受信機ユニット（ＲＣＶＲ）２５４は、関係するアンテナ２５２から受信した信号を処理し、受信したシンボルストリームを提供する。ＲＸ空間プロセッサ２６０は、Ｎｕｔ個の受信機ユニット２５４から受信されたＮｕｔ個のｍシンボルストリームの受信機空間処理を実行し、ユーザ端末に対して、回復されたダウンリンクデータシンボルストリーム｛ｓｄｎ，ｍ｝を提供する。受信機空間処理は、ＣＣＭＩ、ＭＭＳＥ、または幾つかの他の技法に従って実行される。ＲＸデータプロセッサ２７０は、ユーザ端末に対するデコードされたデータを取得するために回復されたダウンリンクデータシンボルストリームを処理（例えば、復調、デインターリーブ、およびデコード）する。
【００４０】
図３は、システム１００内で採用されうるワイヤレスデバイス３０２において使用されうる様々なコンポーネントを例解する。ワイヤレスデバイス３０２は、本出願において記述された様々な方法を実現するように構成されうるデバイスの例である。ワイヤレスデバイス３０２は、アクセスポイント１１０またはユーザ端末１２０でありうる。
【００４１】
ワイヤレスデバイス３０２は、ワイヤレスデバイス３０２の動作を制御するプロセッサ３０４を含むことが出来る。プロセッサ３０４は、また、中央処理ユニット（ＣＰＵ）とも呼ばれうる。読み出し専用メモリ（ＲＯＭ）とランダムアクセスメモリ（ＲＡＭ）の両方を含みうるメモリ３０６は、プロセッサ３０４に命令とデータを提供する。メモリ３０６の一部は、また、不揮発性ランダムアクセスメモリ（ＮＶＲＡＭ）を含みうる。プロセッサ３０４は、典型的に、メモリ３０６内に記憶されたプログラム命令に基づいて論理および演算動作を実行する。メモリ３０６中の命令は、本出願において記述された方法を実現することを実行可能である。
【００４２】
ワイヤレスデバイス３０２は、また、ワイヤレスデバイス３０２および遠隔位置間のデータ送信と受信を許容出来る送信機３１０と受信機３１２を含みうるハウジング３０８を含むことが出来る。送信機３１０と受信機３１２は、トランシーバ３１４中に結合することが出来る。複数の送信アンテナ３１６は、ハウジング３０８に付属することが出来、またトランシーバ３１４に電気的に結合することが出来る。ワイヤレスデバイス３０２は、また、（示されていない）複数の送信機、複数の受信機、および複数のトランシーバを含むことが出来る。
【００４３】
ワイヤレスデバイス３０２は、また、トランシーバ３１４によって受信された信号を検出し、信号レベルの定量化を試みるために使用されうる信号検出器３１８を含むことが出来る。信号検出器３１８は、合計エネルギー、シンボルあたりのサブキャリアのエネルギー、パワースペクトラム密度および他の信号のような信号を検出しうる。ワイヤレスデバイス３０２は、また、信号を処理するために使用されるデジタル信号プロセッサ（ＤＳＰ）３２０を含むことが出来る。
【００４４】
ワイヤレスデバイス３０２の様々なコンポーネントは、データバスに加えて、パワーバス、制御信号バス、および状態信号バスを含みうるバスシステム３２２によってお互いに結合することが出来る。
【００４５】
例示的直接リンク設定（ＤＬＳ）送信の保護
本開示の、ある実施形態は、他の局からの送信との衝突を避けるのを手助けする態様で、直接リンク設定（ＤＬＳ）接続が局間で確立されるのを許容する。以下に記述されるように、ＤＬＳ接続は、潜在的に隠れた局が、ＤＬＳ接続に気付き、ＤＬＳ送信が完了するまでは媒体上で送信を行わないように、送信禁止期間（network allocation vector：ＮＡＶ）設定を調整するようにするメカニズムを使用して確立される中で“保護される”。
【００４６】
理解を容易にするために、続く例が、２つの局（ＳＴＡ１とＳＴＡ２）間の保護されたＤＬＳ接続を確立するための様々な技法を例解する。しかし、本技術の熟練者は、技法が、局と異なるＤＬＳカウンターパート局間、および／または複数の局のペア間の分離され保護されたＤＬＳ接続を確立するために拡張（および、幾つかのケースでは繰り返）されうることを認識するであろう。
【００４７】
例示的送信準備完了（ＲＴＳ）／送信受入可（ＣＴＳ）を使用した保護
ある実施形態に対して、局間の保護されたＤＬＳ接続を確立するために、変形された形の送信要求（ＲＴＳ）および送信受入可（ＣＴＳ）ハンドシェークプロトコルが使用されうる。例えば、開始するＳＴＡはＲＴＳフレームを送信しうるが、ソースアドレスは、ＤＬＳ接続が、それと確立されるカウンターパートＳＴＡのメディアアクセス制御（ＭＡＣ）アドレス、または、そのＤＬＳカウンターパートのアドレスに設定される。
【００４８】
図４は、保護されたＤＬＳ接続を確立するための動作例を例解し、そこで第１の局（この例ではＳＴＡ１）は、そのようなＲＴＳフレームを送信することによって、ＤＬＳセッションを開始する。送信アドレスフィールド（ＴＡ）中に自身のメディアアクセス制御（ＭＡＣ）アドレスを含むというよりも、ＳＴＡ１は、その目標ＤＬＳカウンターパート（この例ではＳＴＡ２）のＭＡＣアドレスを含む。
【００４９】
図４の動作は、対応するフレームの交換を例解する図５を参照することで理解されるであろう。図４で示された動作に対応するフレームを特定するために、同様の引用番号が、図５において使用される。図５は、また、ＳＴＡ１、ＳＴＡ２、およびＡＰによって送信されるフレームを聞き、それに応じて動作（例えば、ＮＡＶ設定を更新、および／または、以下に記述されるであろう送信権保持者アドレスの送信を記憶）するＢＳＳにおける全ての他の局を代表する追加の局（ＳＴＡ−Ｎ）を例解する。図７、９および１１は、同様の目的に供し、夫々図６，８、および１０に対応するフレームを例解する。
【００５０】
動作は、４０２において、第１の局ＳＴＡ１が、ＡＰに向かったＲＴＳフレームを送信することで開始する。このＲＴＳのソースアドレスは、そのＤＬＳカウンターパートＳＴＡ２のＭＡＣアドレスに設定される。
【００５１】
４０４において、ＲＴＳに応答して、ＡＰは、（ＲＴＳのソースアドレスからコピーして）ＳＴＡ２を宛先アドレスとしてＣＴＳフレームを送信する。システムにおける全ての局は、少なくともＡＰによって送信されたＣＴＳを検出しているはずである。
【００５２】
４０６において、このＲＴＳ／ＣＴＳ組み合わせは、ＢＳＳ中の全てのＳＴＡで送信禁止期間（ＮＡＶ）を設定する。ステップ４０８において、ＳＴＡ１とＳＴＡ２は、今パケットを直接交換することが出来、これらのＤＬＳ送信は保護されうる。言い換えれば、ＢＳＳ中の全てのＳＴＡは、ＡＰを聞くことが可能であるので、それらのＮＡＶ値をそれに従って設定する。予期されたＤＬＳデータ交換を保護するために、ＲＴＳおよびＣＴＳフレームの期間フィールドは、ペンディングのフレームを、そのＤＬＳカウンターパート、そして、それらの応答の全てに対して送信することが予期される時間に適応するように設定することが出来、および、例えば、設計によって要求されるマージンを含むことが出来る。
【００５３】
図６は、ある実施形態に従って、ＡＰとのＲＴＳ／ＣＴＳ交換を使用して、ＤＬＳ送信を保護する代替的な動作例６００を例解する。ある実施形態に対して、これらの動作を実行するために、ＱＳＴＡは、送信権（ＴＸＯＰ）保持者のＭＡＣアドレスを記憶するように構成することが出来、記憶されたＴＸＯＰ  ＭＡＣアドレスを到来するパケットの送信アドレスと符合する。一般的に、ＴＸＯＰは、制限された時間間隔であり、局はその間に可能な（ＴＸＯＰの最大の期間を超えて延長されて送信されない）限りのフレームを送信することが出来ることに留意すべきである。もし、フレームが、単一のＴＸＯＰ中で送信するのには大きすぎる場合、それはより小さいフレームに分解され、複数のＴＸＯＰで送信されうる。
【００５４】
動作は、再び、ＳＴＡ１がＳＴＡ２とのＤＬＳ接続を確立することを開始することを想定する。図６の動作は、対応するフレームの交換を例解する図７を参照しながら理解されうる。図６で示された動作に対応するフレームを特定するために、同様の引用番号が、図７において使用される。
【００５５】
ステップ６０２において、ＳＴＡ１は、ＡＰに向かったＲＴＳを送信する。このＲＴＳ中の期間フィールドは、ペンディングのフレームを、そのＤＬＳカウンターパート、そして、それらの応答の全てに対して送信することが要求される（設計によって要求されるマージンを含みうる）時間をカバーするように設定される。このケースにおいて、ＲＴＳのソースアドレスは、ＳＴＡ１のＭＡＣアドレスに設定することが出来る。
【００５６】
ステップ６０４において、ＡＰはＣＴＳをＳＴＡ１に送信する。ＢＳＳ中の全てのＳＴＡはＣＴＳを聞くので、それに従ってそれらのＮＡＶを設定する。加えて、ＳＴＡは、ＲＴＳのＴＡアドレス、またはＣＴＳフレームのＲＡアドレス（この例では、ＳＴＡ１）であるＴＸＯＰ保持者ＭＡＣアドレスを記憶することが出来る。
【００５７】
ステップ６０６において、ＳＴＡ１は、ＲＴＳを、そのＤＬＳ局リスト中の第１の局（例えば、局２）に送信する。ステップ６０８において、ＲＴＳフレームがＳＴＡ２によって受信されたとき、特定された受信者ＳＴＡ２は、ＲＴＳフレーム中のＴＡフィールドにおけるＭＡＣアドレスをチェックし、記憶されたＴＸＯＰ保持者アドレス（ＳＴＡ１のＭＡＣアドレス）と比較するであろう。ＲＴＳ  ＴＡアドレスが記憶されたＴＸＯＰ保持者アドレスと符合しない場合、ＳＴＡ２は、ＲＴＳに全く応答しないであろう。
【００５８】
一方、もしＲＴＳ  ＴＡアドレスが記憶されたＴＸＯＰ保持者アドレスと符合する場合、ＳＴＡ２は、ＣＴＳを持ってＲＴＳに応答するであろう。ＳＴＡ２は、ＮＡＶと関係なく、また、再設定無しで、最短フレーム送信間隔（ＳＩＦＳ）時間後、ＣＴＳフレームを送信することが出来る。一般に、最短フレーム送信間隔（ＳＩＦＳ）は、データフレームとその受信確認との間の小さなギャップであることに留意されたい。
【００５９】
ステップ６１０において、ＳＴＡ１は、ＲＴＳ／ＣＴＳに続いて、ＳＴＡ２に送信されるであろう任意のデータフレームを送信するであろう。ＲＴＳおよび／またはＣＴＳフレーム中の期間フィールド値に基づいて、他の局がそれらのＮＡＶ設定を更新しているとすると、これらのデータフレームの送信は保護されるであろう。ＲＴＳ／ＣＴＳから受信されたサウンディング（ｓｏｕｎｄｉｎｇ）またはレートフィードバックのような情報は、また、後続のデータパケット交換の送信を調整するために使用しうる。
【００６０】
もし、ＳＴＡ１が、そのＤＬＳリスト中に他の局を有する場合、６１２において、動作６０６−６１０が、ＤＬＳ局リスト中の他のＳＴＡに対して繰り返されうる。
【００６１】
例示的ＣＴＳ−ｔｏ−Ｓｅｌｆを使用した技法
図８は、ある実施形態に従って“ＣＴＳ−ｔｏ−Ｓｅｌｆ”を使用した送信の保護に対する動作例８００を例解し、ここで局は、それ自身のＭＡＣアドレスを受領者のアドレスとして特定するＣＴＳフレームを送信する。図８に示された動作のように、これらの動作は、ＱＳＴＡが、ＴＸＯＰ保持者のＭＡＣアドレスを記憶可能であり、また、それを招来するパケットの送信アドレスと符合することが出来るとき、ある実施形態において使用されうる。
【００６２】
動作は、ＳＴＡ１が、ＳＴＡ２とのＤＬＳ接続の確立を開始することを再び想定する。図８の動作は、対応するフレームの交換を例解する図９を参照しながら理解することが出来る。図８で示された動作に対応するフレームを特定するために、同様の引用番号が、図９において使用される。
【００６３】
ステップ８０２において、ＳＴＡ１は、ＤＬＳトランザクションを開始するために、第１のフレームとしてＣＴＳ−ｔｏ−Ｓｅｌｆを送信する。ＣＴＳ−ｔｏ−Ｓｅｌｆ中の期間フィールドは、ペンディングのフレーム、そして、それらの応答の送信に要求される時間をカバーするように設定されうる。応答において、ＢＳＳ中のＣＴＳ−ｔｏ−Ｓｅｌｆを聞く全てのＳＴＡは、それらのＮＡＶを更新し、ＲＡアドレスであるＴＸＯＰ保持者アドレスを、ＣＴＳ−ｔｏ−Ｓｅｌｆに記憶する。
【００６４】
ステップ８０４において、ＳＴＡ１は、ＲＴＳを、そのＤＬＳ局リスト中の第１の局（この例ではＳＴＡ２）に送信する。
【００６５】
ステップ８０６において、ＲＴＳフレームがＳＴＡ２によって受信されたとき、特定された受信者ＳＴＡ２は、ＲＴＳフレーム中のＴＡフィールドにおけるＭＡＣアドレスをチェックし、記憶されたＴＸＯＰ保持者アドレス（ＳＴＡ１のＭＡＣアドレス）と比較するであろう。もし、ＴＡアドレスが記憶されたＴＸＯＰ保持者アドレスと符合しない場合、ＳＴＡ２は、ＲＴＳに全く応答しないであろう。一方、もし、ＴＡアドレスが記憶されたＴＸＯＰ保持者アドレスと符合する場合、ＳＴＡ２は、ＮＡＶに関係無く、そして再設定すること無く、ＳＩＦＳ時間後ＣＴＳを持って応答することが出来る。
【００６６】
ステップ８０８において、ＳＴＡ１は、ＲＴＳ／ＣＴＳに続いて、ＳＴＡ２に送信されるであろう任意のデータフレームを送信するであろう。ＲＴＳおよび／またはＣＴＳフレーム中の期間フィールド値に基づいて、他の局がそれらのＮＡＶ設定を更新しているとすると、これらのデータフレームの送信は保護されるであろう。上で注記したように、ＲＴＳ／ＣＴＳから受信されたサウンディングまたはレートフィードバックのような情報は、また、後続のデータパケット交換において使用されうる。８１０において、動作８０４−８０８は、ＳＴＡ１のＤＬＳ局リスト中の全てのＳＴＡに対して繰り返されうる。
【００６７】
例示的ＨＣＣＡにおけるＤＬＳフレームの保護
ある８０２．１１標準規格は、ハイブリッドコーディネーション機能（ＨＣＦ）を特定する。ＨＣＦ内において、初期の８０２．１１ＭＡＣ標準規格で規定されていたのと類似して、トラフィックが、異なるトラフィッククラス（ＴＣ）に割り当てられることを許容するＨＣＦ制御チャネルアクセス（ＨＣＣＡ）と、拡張された分配チャネルアクセス（ＥＤＣＡ）とのチャネルアクセスの２つの方法がある。本開示の、ある実施形態は、ＨＣＣＡアプリケーション中でＤＬＳフレームを保護するために使用されうる。
【００６８】
図１０は、ある実施形態に従って、ＨＣＦ制御チャネルアクセス中でＤＬＳフレームを保護する動作例１０００を例解する。
【００６９】
動作は、ＡＰがＨＣＣＡ  ＡＰであり、ＳＴＡ１が、ＳＴＡ２とのＤＬＳ接続の確立を開始することを再び想定する。図１０の動作は、対応するフレームの交換を例解する図１１を参照しながら理解することが出来る。図１０で示された動作に対応するフレームを特定するために、同様の引用番号が、図１１において使用される。
【００７０】
ステップ１００２において、ＳＴＡ１は、ＨＣＣＡ  ＡＰを持ってアップリンク送信仕様（ＴＳＰＥＣ）を設定する。
【００７１】
ステップ１００４において、ＨＣＣＡ  ＡＰは、データに対して、ＳＴＡ１をポーリングする。これは、衝突の無いポーリング（ＣＦ−ｐｏｌｌ）を送信することによってなすことが出来、ＴＸＯＰ期間は、フロー要求を満足するために要求される期間に設定されうる。
【００７２】
ステップ１００６において、ＳＴＡ１は、ＣＦ−ｐｏｌｌに、受領確認（ＡＣＫまたはＣＦ−ＡＣＫ）を持って応答する。ＣＦ−ｐｏｌｌおよびＡＣＫは、ＤＬＳデータフレームに適応するように、ＢＳＳ中の全てのＳＴＡで、ＮＡＶを設定するように設計された期間値を有するであろう。
【００７３】
ステップ１００８において、ＳＴＡ１は、ペンディングのデータフレームをＤＬＳカウンターパートに送信する。ステップ１０１０において、ＤＬＳリンクの他の終端上のＳＴＡは、応答でそれらのデータフレームを総合し、および／または、ＨＣＣＡ  ＡＰを持って同様のＴＳＰＥＣを（上の動作１００２−１００８におけるように）設定することが出来る。
【００７４】
上で記述された方法の様々な動作は、図面に例解された手段―プラス機能（ｍｅａｎｓ−ｐｌｕｓ−ｆｕｎｃｔｉｏｎ）ブロックに対応する様々なハードウェアおよび／またはソフトウェアコンポーネントおよび／またはモジュールによって実行することが出来る。一般的に、対応するカウンターパート手段―プラス機能図を有している、図面に例解された方法がある場合、動作ブロックは、同様の番号付けを持った手段―プラス機能ブロックに対応する。例えば、図４、６、８、および１０において例解された動作４００，６００、８００、および１０００は、図４Ａ、６Ａ、８Ａ、および１０Ａにおいて例解された手段―プラス機能ブロック４００Ａ，６００Ａ、８００Ａ、および１０００Ａに対応する。
【００７５】
本出願において使用された、用語“決定する”は、広い動作の多様性を包含する。例えば、“決定する”は、計算すること、コンピューティング、処理すること、派生すること、調査すること、検索（例えば、テーブルや、データベースや、別のデータ構造を検索）すること、確認すること、および同様のものを含みうる。また、“決定する”は、受信すること（例えば、情報を受領すること）、アクセスすること（例えば、メモリ中のデータにアクセスすること）および同様のものを含みうる。また、“決定する”は、解決すること、選択すること、選ぶこと、確立することおよび同様のものを含みうる。
【００７６】
情報および信号は、任意の各種の技術と技法を使用して表示することが出来る。例えば、データ、命令、コマンド、情報、信号および同様のものは、上記記述の全体を通して参照され、電圧、電流、電磁波、磁場や粒子、光学場や粒子、またはそれらの任意の組み合わせで表示することが出来る。
【００７７】
本開示に関係して記述される様々な例示的ロジックブロック、モジュール、および回路は、汎用目的プロセッサ、デジタル信号プロセッサ（ＤＳＰ）、用途特定集積回路（ＡＳＩＣ）、フィールドプログラマブルゲートアレイ信号（ＦＰＧＡ）や他のプログラマブルロジックデバイス（ＰＬＤ）、ディスクリートゲートやトランジスタロジック、ディスクリートハードウェアコンポーネント、または、本出願において記述された機能を実行するように設計された任意の組み合わせによって実現または実行することが出来る。汎用目的プロセッサは、マイクロプロセッサでありうるが、代替的に、プロセッサは、任意の商業的に利用可能なプロセッサ、コントローラ、マイクロコントローラ、または状態マシーンでありうる。プロセッサは、また、コンピューティングデバイスの組み合わせ、例えば、ＤＳＰとマイクロプロセッサ、複数のマイクロプロセッサ、ＤＳＰコアと関連した１つあるいはそれより多くのマイクロプロセッサ、または任意の他のそのような構成で実現することが出来る。
【００７８】
本開示との関係で記述された方法やアルゴリズムのステップは、ハードウェアで、プロセッサによって実行されるソフトウェアモジュールで、またはその２つの組み合わせで体現することが出来る。ソフトウェアモジュールは、本技術で知られた任意の形の記憶媒体中に存在しうる。使用される記憶媒体の幾つかの例は、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードｄｉｓｋ、リムーバブルｄｉｓｋ、ＣＤ−ＲＯＭ等々を含む。ソフトウェアモジュールは、単一の命令、または多数の命令を具備し、幾つかの異なるコードセグメントに渡って、異なるプログラム間で、および複数の記憶媒体を通して分布されうる。記憶媒体は、プロセッサが、記憶媒体から読み出し、記憶媒体に書き込みすることが出来るようにプロセッサに結合することが出来る。代替的に、記憶媒体はプロセッサに集積化することが出来る。
【００７９】
本出願に開示された方法は、記述された方法を達成するための１つあるいはそれより多くのステップやアクションを具備する。方法ステップ、および／またはアクションは、本請求項の範囲を逸脱することなく、お互いに交換可能でありうる。言い換えれば、特定のステップやアクションの順番が特定化されない限り、特定のステップ、および／またはアクションの順番、および／または使用は、本請求項の範囲を逸脱することなく変形することが出来る。
【００８０】
記述された機能は、ハードウェア、ソフトウェア、またはそれらの組み合わせで実現されうる。もし、ソフトウェアで実現される場合、機能は、１つあるいはそれより多くの命令として、コンピュータ読み出し可能な媒体上に記憶することが出来る。記憶媒体は、コンピュータによってアクセス可能な任意の利用可能な媒体でありうる。例として、制限ではなく、そのようなコンピュータ読み出し可能な媒体は、ＲＡＭ、ＲＯＭ、ＥＥＰＲＯＭ、ＣＤ−ＲＯＭや他の光学的ｄｉｓｋ記憶、磁気ｄｉｓｋ記憶や他の磁気ｄｉｓｋ記憶デバイス、または、命令やデータ構造の形で、所望のプログラムコードを搬送や記憶するために使用することが出来、コンピュータによってアクセス可能である任意の他の媒体を具備することが出来る。Ｄｉｓｋおよびｄｉｓｃは、本出願で使用されるように、コンパクトｄｉｓｃ（ＣＤ）、レーザｄｉｓｃ、光学ｄｉｓｃ、デジタル多用途ｄｉｓｃ（ＤＶＤ）、フロッピー（登録商標）ｄｉｓｋ、およびブルーレイ（登録商標）ｄｉｓｃを含み、ｄｉｓｋは通常データを磁気的に再生し、ｄｉｓｃはデータを光学的にレーザで再生する。
【００８１】
ソフトウェアまたは命令は、また、送信媒体を通して送信することが出来る。例えば、もしソフトウェアがウェブサイト、サーバ、または他の遠隔ソースから、同軸ケーブル、ファイバーオプティックスケーブル、より線対、デジタル加入者線（ＤＳＬ）、または、遠赤外、無線、およびマイクロ波のようなワイヤレス技術を使用して送信される場合、同軸ケーブル、ファイバーオプティックスケーブル、より線対、ＤＳＬ、または、遠赤外、無線、およびマイクロ波のようなワイヤレス技術が、送信媒体の定義に含まれる。
【００８２】
更に、モジュールおよび／または本出願で記述された方法と技法を実行する他の適切な手段は、ダウンロードされるか、および／または、利用可能なユーザ端末および／または基地局によって取得することが出来る。例えば、そのようなデバイスは、本出願において記述された方法を実行する手段の転送を促進するために、ユーザ端末によってサーバに結合することが出来る。代替的に、本出願において記述された様々な方法は、ユーザ端末および／または基地局が、記憶手段をデバイスに結合または提供すると同時に、様々な方法を取得出来るように、記憶手段（例えば、ＲＡＭ、ＲＯＭ、コンパクトｄｉｓｃ（ＣＤ）やフロッピー（登録商標）ｄｉｓｋ、等のような物理的記憶媒体）を介して提供されうる。更に、本出願で記述された方法および技法をデバイスに提供する任意の他の適切な技法が使用されうる。
【００８３】
請求項は、上で例解された正確な構成とコンポーネントに制限されないことが理解されるべきである。上で記述された構成、動作、および方法と装置の詳細において、様々な変形、変更およびバリエーションが、請求項の範囲を逸脱すること無しになされうる。
【図１】
2011505754.tif 000003
【図２】
2011505754.tif 000004
【図３】
2011505754.tif 000005
【図４】
2011505754.tif 000006
【図４Ａ】
2011505754.tif 000007
【図５】
2011505754.tif 000008
【図６】
2011505754.tif 000009
【図６Ａ】
2011505754.tif 000010
【図７】
2011505754.tif 000011
【図８】
2011505754.tif 000012
【図８Ａ】
2011505754.tif 000013
【図９】
2011505754.tif 000014
【図１０】
2011505754.tif 000015
【図１０Ａ】
2011505754.tif 000016
【図１１】
2011505754.tif 000017
【国際調査報告】
2011505754.tif 000018
2011505754.tif 000019
2011505754.tif 000020
2011505754.tif 000021
2011505754.tif 000022